(57)【要約】【課題】表示画面上の異なる箇所との間にリンクを張る処理を簡単に行わせるとともにその際の煩わしさを解消させるようにする。【解決手段】リンク元・先座標特定部１０７は、デジタイザ１１から入力された位置データに基づき、リンク元の領域を特定するとともにリンク先を特定する。リンク生成部１０８は、アドレス対応テーブルを参照し、リンク元・先座標特定部１０７により特定されたリンク元の領域の各位置とこの位置のアドレスとを組にしたリンク元を特定するリンク元特定情報と、特定したリンク先位置と該位置の前記アドレスとを組にしたリンク先を特定するリンク先特定情報とが記述されたリンク制御データを生成する。その後、リンク制御データ書込部１０９は、リンク生成部１０８により生成したリンク制御データを記憶部１０１の制御データ記憶領域に書き込む。【選択図】図１
2008176652.tif 000002
【特許請求の範囲】
【請求項１】
入力装置と情報処理装置とを備え、該情報処理装置に表示されている表示画面上のリンク元領域からリンク先にリンクを張る情報処理システムであって、
前記入力装置は、
前記表示画面上にリンク元の領域を指定するための位置データを供給するリンク元領域指定位置データ供給手段と、
前記表示画面上にリンク先を指定するための位置データを供給するリンク先指定位置データ供給手段と、
を備え、
前記情報処理装置は、
予め決められた前記リンク元領域と予め決められたリンク先との間でリンクを張らせるリンク制御データを記憶するリンク制御データ記憶手段と、
画像が表示されている前記表示画面における位置と、該位置における該画像の画像データのアドレスとが記述された位置―アドレス対応テーブルと、
前記入力装置の前記リンク元領域指定位置データ供給手段により供給された前記位置データに基づき、前記リンク元の領域を特定するリンク元領域特定手段と、
前記入力装置の前記リンク先指定位置データ供給手段により供給された前記位置データに基づき、前記リンク先を特定するリンク先特定手段と、
前記位置―アドレス対応テーブルを参照し、前記リンク元領域特定手段により特定されたリンク元の領域の各位置と該位置の前記アドレスとを組にしたリンク元を特定するリンク元情報と、前記リンク先特定手段により特定されたリンク先位置と該位置の前記アドレスとを組にしたリンク先を特定するリンク先情報とが記述された前記リンク制御データを生成するリンク制御データ生成手段と、
前記リンク制御データ生成手段により生成された前記リンク制御データを前記リンク制御データ記憶手段に書き込むリンク制御データ書込手段と、
を備えることを特徴とする情報処理システム。
【請求項２】
前記情報処理装置は、
前記リンク元領域特定手段により特定された前記リンク元の領域を示す情報を前記表示画面上に表示させるとともに、前記リンク先特定手段により特定された前記リンク先を示す情報を前記表示画面上に表示させる表示制御手段
を更に備えることを特徴とする請求項１記載の情報処理システム。
【請求項３】
入力装置により指定された箇所の位置を示す位置データが入力され、表示画面上の予め決められたリンク元領域から予め決められたリンク先にリンクを張る情報処理装置であって、
予め決められた前記リンク元領域と予め決められたリンク先との間でリンクを張らせるリンク制御データを記憶するリンク制御データ記憶手段と、
画像が表示されている前記表示画面における位置と、該位置における該画像の画像データのアドレスとが記述された位置―アドレス対応テーブルと、
表示画面上にリンク元の領域を指定するための位置データを前記入力装置から取得するリンク元領域指定位置データ取得手段と、
前記表示画面上にリンク先を指定するための位置データを取得するリンク先指定位置データ取得手段と、
前記リンク元領域指定位置データ供給手段により取得した前記位置データに基づき、前記リンク元の領域を特定するリンク元領域特定手段と、
前記リンク先指定位置データ供給手段により取得した前記位置データに基づき、前記リンク先を特定するリンク先特定手段と、
前記位置アドレス対応テーブルを参照し、前記リンク元領域特定手段により特定されたリンク元の領域の各位置と該位置の前記アドレスとを組にしたリンク元を特定するリンク元情報と、前記リンク先特定手段により特定されたリンク先位置と該位置の前記アドレスとを組にしたリンク先を特定するリンク先情報とが記述された前記リンク制御データを生成するリンク制御データ生成手段と、
前記リンク制御データ生成手段により生成された前記リンク制御データを前記リンク制御データ記憶手段に書き込むリンク制御データ書込み手段と、
を備えることを特徴とする情報処理装置。
【請求項４】
前記リンク元領域特定手段により特定された前記リンク元の領域を示す情報を前記表示画面上に表示させるとともに、前記リンク先特定手段により特定された前記リンク先を示す情報を前記表示画面上に表示させる表示制御手段
を更に備えることを特徴とする請求項３記載の情報処理装置。
【発明の詳細な説明】
【技術分野】
【０００１】
本発明は、表示画面上の所定箇所から異なる所定箇所にリンクを張る情報処理システム及び情報処理装置に関する。
【背景技術】
【０００２】
従来、例えばパーソナルコンピュータからなる情報処理装置は、表示画面上の所定箇所から異なる所定箇所の間にリンクを張るためには、リンク前の前記所定箇所、及び、リンクが張られる前記所定箇所の情報を、定められたルールに従って、利用者がキーボード、マウスにより入力しなければならなかった（例えば、特許文献１参照）。
【特許文献１】特開平９−１６０７４２号公報
【発明の開示】
【発明が解決しようとする課題】
【０００３】
しかしながら、キーボード、マウスを用いて、表示画面上の所定箇所から異なる所定箇所の間にリンクを張る処理を定められたルールに従い行うことが利用者にとって不慣れな場合には、利用者がリンクを張る処理が困難であるうえに煩わしいという問題点があった。
【０００４】
そこで、本発明は上述した問題点に鑑み、キーボード、マウスを用いて、表示画面上の所定の箇所から異なる所定箇所との間にリンクを張る処理が利用者に取って不慣れな場合であっても、利用者がこれらの所定箇所の間にリンクを簡単に張ることを可能とし、その際の煩わしさを解消させることを可能とする情報処理システム及び情報処理装置を提供することを目的とする。
【課題を解決するための手段】
【０００５】
上記課題を解決するため、請求項１記載の発明は、入力装置と情報処理装置とから構築され、該情報処理装置に表示されている表示画面上のリンク元領域からリンク先にリンクを張る情報処理システムであって、前記入力装置が、前記表示画面上にリンク元の領域を指定するための位置データを供給するリンク元領域指定位置データ供給手段と、前記表示画面上にリンク先を指定するための位置データを供給するリンク先指定位置データ供給手段と備え、前記情報処理装置が、予め決められた前記リンク元領域と予め決められたリンク先との間でリンクを張らせるリンク制御データを記憶するリンク制御データ記憶手段と、画像が表示されている前記表示画面における位置と、該位置における該画像の画像データのアドレスとが記述された位置―アドレス対応テーブルと、前記入力装置の前記リンク元領域指定位置データ供給手段により供給された前記位置データに基づき、前記リンク元の領域を特定するリンク元領域特定手段と、前記入力装置の前記リンク先指定位置データ供給手段により供給された前記位置データに基づき、前記リンク先を特定するリンク先特定手段と、前記位置―アドレス対応テーブルを参照し、前記リンク元領域特定手段により特定されたリンク元の領域の各位置と該位置の前記アドレスとを組にしたリンク元を特定するリンク元情報と、前記リンク先特定手段により特定されたリンク先位置と該位置の前記アドレスとを組にしたリンク先を特定するリンク先情報とが記述された前記リンク制御データを生成するリンク制御データ生成手段と、前記リンク制御データ生成手段により生成された前記リンク制御データを前記リンク制御データ記憶手段に書き込むリンク制御データ書込手段とを備える。
【０００６】
この構成によれば、情報処理装置のリンク制御データ生成手段が生成するリンク制御データを生成するための位置データとして、入力装置のリンク元領域指定位置データ供給手段とリンク先指定位置データ供給手段とがそれぞれ、リンク元の領域を指定するための位置データとリンク先指定するための位置データとを情報処理装置に供給するので、利用者が情報処理装置の扱いに不慣れな場合であっても、扱いが簡単な電子ペンを用いることにより、リンク元とリンク先との間にリンクを簡単に張ることができ、その際の煩わしさを解消することができる。
【０００７】
請求項２記載の発明は、請求項１に記載の発明において、前記情報処理装置が、前記リンク元領域特定手段により特定された前記リンク元の領域を示す情報を前記表示画面上に表示させるとともに、前記リンク先特定手段により特定された前記リンク先を示す情報を前記表示画面上に表示させる表示制御手段を更に備える。
【０００８】
また、この構成によれば、情報処理装置の表示制御手段により、前記リンク元の領域を示す情報及び前記リンク先を示す情報が表示画面上に表示させるので、利用者がリンク元とリンク先との間にリンクを張るに際してこれらの情報を参照しつつ行うことができる。
【０００９】
請求項３記載の発明は、入力装置により指定された箇所の位置を示す位置データが入力され、表示画面上の予め決められたリンク元領域から予め決められたリンク先にリンクを張る情報処理装置であって、予め決められた前記リンク元領域と予め決められたリンク先との間でリンクを張らせるリンク制御データを記憶するリンク制御データ記憶手段と、画像が表示されている前記表示画面における位置と、該位置における該画像の画像データのアドレスとが記述された位置―アドレス対応テーブルと、表示画面上にリンク元の領域を指定するための位置データを前記入力装置から取得するリンク元領域指定位置データ取得手段と、前記表示画面上にリンク先を指定するための位置データを取得するリンク先指定位置データ取得手段と、前記リンク元領域指定位置データ供給手段により取得した前記位置データに基づき、前記リンク元の領域を特定するリンク元領域特定手段と、前記リンク先指定位置データ供給手段により取得した前記位置データに基づき、前記リンク先を特定するリンク先特定手段と、前記位置―アドレス対応テーブルを参照し、前記リンク元領域特定手段により特定されたリンク元の領域の各位置と該位置の前記アドレスとを組にしたリンク元を特定するリンク元情報と、前記リンク先特定手段により特定されたリンク先位置と該位置の前記アドレスとを組にしたリンク先を特定するリンク先情報とが記述された前記リンク制御データを生成するリンク制御データ生成手段と、前記リンク制御データ生成手段により生成された前記リンク制御データを前記リンク制御データ記憶手段に書き込むリンク制御データ書込み手段とを備える。
【００１０】
この構成によれば、情報処理装置のリンク制御データ生成手段が生成するリンク制御データを生成するための位置データとして、入力装置のリンク元領域指定位置データ供給手段とリンク先指定位置データ供給手段とがそれぞれ、リンク元の領域を指定するための位置データとリンク先指定するための位置データとを情報処理装置に供給するので、利用者が情報処理装置の扱いに不慣れな場合であっても、扱いが簡単な電子ペンを用いることにより、リンク元とリンク先との間にリンクを簡単に張ることができ、その際の煩わしさを解消することができる。
【００１１】
請求項４記載の発明は、請求項３記載の発明において、前記リンク元領域特定手段により特定された前記リンク元の領域を示す情報を前記表示画面上に表示させるとともに、前記リンク先特定手段により特定された前記リンク先を示す情報を前記表示画面上に表示させる表示制御手段を更に備える。
【００１２】
また、この構成によれば、表示制御手段により、前記リンク元の領域を示す情報及び前記リンク先を示す情報を表示画面上に表示させるので、利用者がリンク元とリンク先との間にリンクを張るに際してこれらの情報を参照しつつ行うことができる。
【発明の効果】
【００１３】
以上、本発明によれば、キーボード、マウスを用いて、表示画面上の所定箇所から異なる所定箇所との間にリンクを張る処理が利用者に取って不慣れな場合であっても、利用者がこれらの箇所との間にリンクを簡単に張ることができ、その際の煩わしさを解消することができる。
【発明を実施するための最良の形態】
【００１４】
次に、本発明を実施するための最良の形態を説明する。
【００１５】
図１は、本発明に係る情報処理システムの構成を示すブロック図である。この情報処理システムは、図１に示すように、情報処理装置１０と、電子ペンを備えるデジタイザ１１とから構成されている。
【００１６】
情報処理装置１０は、記憶部１０１、情報入力部１０２、情報解析部１０３、座標変換部１０４、表示制御部１０５、表示部１０６、リンク元・先座標特定部１０７、リンク生成部１０８、及び、リンク制御データ書込部１０９を備えている。ここで、情報入力部０２、情報解析部１０３、座標変換部１０４、表示制御部１０５、リンク元・先座標特定部１０７、リンク生成部１０８、及び、リンク制御データ書込部１０９は、制御部としての図示しないＣＰＵが図２に示す記憶部１０１に有する制御プログラム格納領域１０１ａに記憶されている制御プログラムを実行することにより生成され、下記に示すような機能を実行する。
【００１７】
記憶部１０１は、ＲＯＭ、ＲＡＭ、フラッシュメモリ、ハードディスク装置等から構成され、図２に示すように、制御プログラム格納領域１０１ａ、位置−アドレス対応テーブル１０１ｂ、リンク元座標記憶領域１０１ｃ、リンク先座記憶領域１０１ｄ、及び、制御データ記憶領域１０１ｅ、決定カーソル座標記憶領域１０１ｆ、表示カーソル座標記憶領域１０１ｇ、ワーク領域１０１ｈ、及び画像データ記憶領域１０１ｊを有している。
【００１８】
制御プログラム格納領域１０１ａは、ＲＯＭに形成され、ＣＰＵが実行する処理が記述された制御プログラムを格納する領域である。
【００１９】
位置−アドレス対応テーブル１０１ｂは、ハードディスク装置に形成され、図３に示すように、表示部１０６に表示された電子ファイルの画像を表示する表示画面の位置を示すカーソル座標Ｐ（Ｘ、Ｙ）と、この座標Ｐ（Ｘ、Ｙ）における画像データが画像データ記憶部１０１ｊに記憶されている箇所を指定するアドレスが記述されている。なお、このアドレスは、ヘキサデシマル（１６進数）で表示されている。
【００２０】
リンク元座標記憶領域１０１ｃは、ＲＡＭに形成され、表示部１０６に表示された電子ファイルの画像を表示する表示画面における、後述するようにして利用者により決定されたリンク元の領域に有する全ての座標Ｐ（Ｘ、Ｙ）（以下、リンク元座標Ｐ（Ｘ、Ｙ）という）が記憶されている。
【００２１】
リンク先座標記憶領域１０１ｄは、ＲＡＭに形成され、表示部１０６に表示された電子ファイルの画像を表示する表示画面における、後述するようにして利用者により決定されたリンク先の座標Ｐ（Ｘ、Ｙ）（以下、リンク先座標Ｐ（Ｘ、Ｙ）という）が１つのみ記憶されている。
【００２２】
制御データ記憶部１０１ｅは、フラッシュメモリに形成され、ＣＰＵが制御プログラムを用いて処理を行う際に必要となる制御データを記憶する。その制御データには、例えば、表示画面上の所定の箇所から異なる所定箇所との間にリンクを張る処理をＣＰＵが実行する際に必要となる制御データ（以下、リンク制御データという）がある。
【００２３】
このリンク制御データは、リンク元座標とこのリンク元座標における画像データのアドレスとを対にしたリンク元特定データと、リンク先座標とこのリンク先座標における画像データのアドレスとを対にしたリンク先特定データとが記述されている。このリンク制御データを利用することにより、利用者が、リンク元の領域上にカーソルを設定し、例えばカーソルをクリックした場合には、この情報処理装置１０は、リンク元の領域と張られる、リンク制御データに記述されているリンク先座標に指定されたアドレスの画像データの画像が表示される表示画面に移動させることができる。
【００２４】
決定カーソル座標記憶領域１０１ｆは、ＲＡＭに形成され、リンク元の領域を決定するために必要となる、電子ファイルの画像が表示された表示画面上のカーソルの位置を示す座標Ｐ（Ｘ、Ｙ）（以下、カーソル座標（Ｘ、Ｙ）という）が記憶されている。
【００２５】
表示カーソル座標記憶領域１０１ｇ、ＲＡＭに形成され、表示部１０６に現に表示されているカーソルのカーソル座標Ｐ（Ｘ、Ｙ）を記憶する。ただし、このカーソル座標Ｐ（Ｘ、Ｙ）は、デジタイザ１１から出力された後述するカーソル位置特定指示により特定されたものではない。
【００２６】
ワーク領域１０１ｈは、ＲＡＭに形成され、ＣＰＵが処理を実行する際に用いられるデータを一時的に記憶する。
【００２７】
画像データ記憶領域１０１ｊは、ＶＲＡＭ（Ｖｉｄｅｏ  ＲＡＭ）に形成され、表示部１０６に表示する電子ファイルの画像データを記憶する。
【００２８】
情報入力部１０２は、デジタイザ１１から入力された情報を情報解析部１０３に出力する。上記情報には、電子ペン１２で指定されたデジタイザ１１上の位置を示す座標Ｑ（Ｘ、Ｙ）が記述されたデータ（以下、位置データという）と、表示部１０６に表示されているカーソルの位置を特定するための指示（以下、カーソル位置特定指示という）とがある。
【００２９】
情報解析部１０３は、情報入力部１０２から入力された情報を解析し、位置データである場合には、この位置データを座標変換部１０４に出力する。また、情報解析部１０３は、カーソル位置特定指示の場合には、記憶部１０１の表示カーソル座標記憶領域１０１ｇに記憶されている、現在、表示部１０６に表示されているカーソルの位置を示すカーソル座標Ｐ（Ｘ、Ｙ）を、決定カーソル座標記憶領域１０１ｆに記憶させるとともに、表示カーソル座標記憶領域１０１ｇをクリアする。また、情報解析部１０３は、情報入力部１０２から入力された情報がカーソル位置特定指示の場合には、現在、表示画面に表示されているカーソルの位置にリンク元の領域又はリンク先を利用者に知らせる、例えば図４中の符号Ａ、Ｂ、Ｃ、Ｄ及びＥに示すスポット表示からなる認識標識を表示させるカーソル位置表示指示を表示制御部１０５に出力する。
【００３０】
座標変換部１０４は、情報解析部１０４から位置データが入力されると、位置データに記述されているデジタイザ１１上での位置を示す座標Ｑ（Ｘ、Ｙ）を、表示画面上に表示されるカーソル座標Ｐ（Ｘ、Ｙ）に変換し、このカーソル座標Ｐ（Ｘ、Ｙ）を表示制御部１０５に出力するとともに、記憶部１０１の表示カーソル座標記憶領域に書き込む。
【００３１】
表示制御部１０５は、入力されたカーソル座標Ｐ（Ｘ、Ｙ）の表示部１０６の位置にカーソルを表示させる。また、情報解析部１０３から入力された上記カーソル位置表示指示に従い、現在、表示画面に表示されているカーソルの位置に上記認識標識を表示させる。
【００３２】
表示部１０６は、液晶表示装置からなり、例えば図４に示すように、リンクを張る電子ファイルの画像を表示する。因みに、図４に示す画像を示す表示画面には、リンク元領域を確定させるための「リンク元領域確定」ボタンと、リンク元とリンク先との間でリンクを張ることを実行させるための「リンク実行」ボタンとが表示されている。また、図４に示す画像を示す表示画面には、符号Ａ、Ｂ、Ｃ、及びＤにより示されたリンク元の領域を利用者に知らせる認識標識と、符号Ｅにより示されたリンク先を利用者に知らせるスポット表示からなる認識標識が表示されている。
【００３３】
リンク元・先座標特定部１０７は、表示部１０６から「リンク元領域確定」ボタンがクリックされた旨の通知が入力すると、記憶部１０１の決定カーソル座標記憶領域１０１ｆに記憶されている全てのカーソル座標Ｐ（Ｘ、Ｙ）（このカーソル座標Ｐ（Ｘ、Ｙ）は、上記カーソル位置特定指示により指定された、リンク元の領域を指定するためのカーソル座標Ｐ（Ｘ、Ｙ）である。）を読み出し、これらのカーソル座標Ｐ（Ｘ、Ｙ）から、リンク元の領域を示すリンク元座標Ｐ（Ｘ、Ｙ）を決定する。例えば、決定カーソル座標記憶領域１０１ｆに記憶されているカーソル座標Ｐ（Ｘ、Ｙ）が、図４に示すように、符号Ａ、Ｂ、Ｃ、及びＤにより示された位置のカーソル座標Ｐ（Ｘ、Ｙ）の場合には、リンク元・先座標特定部１０７は、これらのカーソル座標Ｐ（Ｘ、Ｙ）で結ばれた線上又は内側に有する座標Ｐ（Ｘ、Ｙ）をリンク元座標Ｐ（Ｘ、Ｙ）であると決定する。そして、リンク元・先座標特定部１０７は、上述のようにして決定したリンク元座標Ｐ（Ｘ、Ｙ）を記憶部１０１のリンク元座標記憶領域１０１ｃに記憶するとともに、決定カーソル座標記憶領域１０１ｆに記憶されている全てのカーソル座標Ｐ（Ｘ、Ｙ）を消去する。
【００３４】
また、リンク元・先座標特定部１０７は、表示部１０６から「リンク実行」ボタンがクリックされた旨の通知が入力すると、記憶部１０１の決定カーソル座標記憶領域１０１ｆに記憶されているカーソル座標Ｐ（Ｘ、Ｙ）（このカーソル座標Ｐ（Ｘ、Ｙ）は、上記カーソル位置特定指示により指定されたリンク先を指定するためのカーソル座標Ｐ（Ｘ、Ｙ）である。）を読み出し、このカーソル座標Ｐ（Ｘ、Ｙ）をリンク先座標Ｐ（Ｘ、Ｙ）と決定する。そして、リンク元・先座標特定部１０７は、決定したリンク先座標Ｐ（Ｘ、Ｙ）を記憶部１０１のリンク先座標記憶領域１０１ｄに記憶するとともに、決定カーソル座標記憶領域１０１ｆに記憶されているカーソル座標Ｐ（Ｘ、Ｙ）を消去するとともに、リンクを張ることの指示をリンク生成部１０８に出力する。
【００３５】
リンク生成部１０８は、位置−アドレス対応テーブル１０１ｂを参照し、記憶部１０１のリンク元座標記憶領域１０１ｃに記憶されているリンク元の領域を示す全てのリンク元座標Ｐ（Ｘ、Ｙ）について、このリンク元座標Ｐ（Ｘ、Ｙ）と読み出したアドレスとを対にしたリンク元特定データを生成し、この生成したリンク元特定データを記憶部１０１のワーク領域１０１ｈに記憶する。
【００３６】
また、リンク生成部１０８は、位置−アドレス対応テーブル１０１ｂを参照し、記憶部１０１のリンク先座標記憶領域１０１ｄに記憶されているリンク先座標Ｐ（Ｘ、Ｙ）について、このリンク先座標Ｐ（Ｘ、Ｙ）と読み出したアドレスとを対にしたリンク先特定データを生成し、このリンク先特定データを記憶部１０１のワーク領域１０１ｈに記憶する。
【００３７】
また、リンク生成部１０８は、記憶部１０１のワーク領域１０１ｈからリンク元特定データとリンク先特定データとを読み出し、読み出したこれらのリンク元特定データとリンク先特定データとが記述された上述したリンク制御データを生成し、この生成したリンク制御データをリンク制御データ書込部１０９に出力する。
【００３８】
リンク制御データ書込部１０９は、入力されたリンク制御データを記憶部１０１の制御データ記憶部１０１ｅに書き込む。
【００３９】
図１に示すデジタイザ１１は、電子ペン１２のペン先により指定された箇所の位置を示す位置座標Ｑ（Ｘ、Ｙ）が記述された位置データを情報処理装置１０に出力する。電子ペン１２は、上記位置データが示す位置を指定する。この電子ペン１２は、ボタン１２１を有しており、このボタン１２１が押下されると、デジタイザ１１が上記カーソル位置特定指示を情報処理装置１０に出力させるための信号を出力する。
【００４０】
次に、本発明に係る情報処理システムの動作を説明する。
【００４１】
図５は、本発明に係る情報処理システムの動作を示すフローチャートである。まず、利用者は、図しない操作部に設けられたマウス、テンキー等のポインティングデバイスを利用して、記憶部１０１の画像データ記憶領域１０１ｊに記憶されている電子ファイルの画像を表示部１０６に表示させる。その後、リンク元の領域を確定するために、利用者が、表示画面に表示されているカーソル（このカーソルは、電子ペン１２により位置が指定されている）の位置を参照しながら、カーソルを例えば図４中の符号Ｇに示された経路上を移動させるように、電子ペン１２のペン先をデジタイザ１１上に移動させると、デジタイザ１１は、電子ペン１２のペン先のデジタイザ１１上における現在位置を示す位置座標Ｑ（Ｘ、Ｙ）が記述された位置データを情報処理装置１０の情報入力部に１０２に随時出力する（ステップＳ１）。
【００４２】
情報入力部１０２は、デジタイザ１１から随時入力された位置データを情報解析部１０３に出力する。
【００４３】
情報解析部１０３は、情報入力部１０２から位置データが随時入力される、この入力された情報が位置データであると判定し、この位置データを座標変換部１０４に出力する。
【００４４】
座標変換部１０４は、情報解析部１０３から随時入力された位置データに記述されている、電子ペン１２により指定されたデジタイザ１１上の位置を示す座標Ｑ（Ｘ、Ｙ）を、表示部１０６に表示させるカーソルの位置を示すカーソル座標Ｐ（Ｘ、Ｙ）に随時変換し（ステップＳ２）、このカーソル座標Ｐ（Ｘ、Ｙ）を表示制御部１０５に出力するとともに、このカーソル座標Ｐ（Ｘ、Ｙ）を記憶部１０１の表示カーソル座標記憶領域１０１ｇに先に記憶されているカーソル座標Ｐ（Ｘ、Ｙ）を随時消去したのちに書き込む（ステップＳ３）。
【００４５】
表示制御部１０５は、座標変換部１０４から随時入力されたカーソル座標Ｐ（Ｘ、Ｙ）に対応する箇所にカーソルを随時表示させる（ステップＳ４）。
【００４６】
利用者が、上述したように、カーソルを図４中の符号Ｇに示された経路上を移動させ、この経路の最終位置を示す図４中の符号Ａに示された箇所にカーソルを移動させたのち、電子ペン１２に設けられているボタン１２１を押下すると、デジタイザ１１は、表示画面中のカーソル位置を特定させるためのカーソル位置特定指示を情報処理装置１０の情報入力部１０２に出力する（ステップ５）。
【００４７】
情報入力部１０２は、カーソル位置特定指示がデジタイザ１１から入力されると、このカーソル位置特定指示を情報解析部１０３に出力する。
【００４８】
情報解析部１０３は、情報入力部１０２からカーソル位置特定指示が入力されると、この入力された情報がカーソル位置特定指示であると判定し、記憶部１０１の表示カーソル座標記憶領域１０１ｇに記憶されている図４中の符号Ａに示された位置を示すカーソル座標Ｐ（Ｘ、Ｙ）を決定カーソル座標記憶領域１０１ｆに書き込む（ステップＳ６）。
【００４９】
次に、情報解析部１０３は、現在、表示画面に表示されている図４中の符号Ａに示す位置に、リンク元の領域を利用者に知らせるスポット表示からなる認識標識を表示させるカーソル位置表示指示を表示制御部１０５に出力する。
【００５０】
表示制御部１０５は、情報解析部１０３からカーソル位置表示指示が入力されると、現在カーソルの位置に図４の符号Ａに示す箇所にスポット表示からなる認識標識を表示させる（ステップＳ７）。
【００５１】
その後、利用者は、表示画面における図４中の符号Ｂ、Ｃ、Ｄについても上述したと同様な処理を行う。これにより、情報処理装置１０の記憶部１０１の決定カーソル座標記憶領域１０１ｆには、図４中の符号Ａ、Ｂ、Ｃ、及びＤにより示された位置を示すカーソル座標Ｐ（Ｘ、Ｙ）が記憶される。また、情報処理装置１０の表示部１０６には、図４中の符号Ａ、Ｂ、Ｃ、及びＤにより示されたリンク元の領域を利用者に知らせるスポット表示からなる認識標識が表示される。
【００５２】
その後、利用者が表示画面中の「リンク元領域確定」ボタンを押下すると、表示部１０６は、その旨の通知をリンク元・先座標特定部１０７に出力する（ステップＳ８）。
【００５３】
リンク元・先座標特定部１０７は、表示画面中の「リンク元領域確定」ボタンがクリックされた旨の通知が表示部１０６から入力されると、記憶部１０１の決定カーソル座標記憶領域１０１ｆに記憶されている、図４中の符号Ａ、Ｂ、Ｃ、及びＤに示された位置を示すカーソル座標Ｐ（Ｘ、Ｙ）を決定カーソル座標記憶領域１０１ｆから順次読み出し、図４に示すように、符号Ａ、Ｂ、Ｃ、及びＤに示されたカーソル座標Ｐ（Ｘ、Ｙ）間を直線で結んだ範囲内（直線上を含む）をリンク元の領域であると決定し、この領域内について予め決められた間隔で取った座標をリンク元座標Ｐ（Ｘ、Ｙ）としてリンク元座標記憶領域１０１ｃに書き込む（ステップＳ９）。
【００５４】
その後、利用者は、リンク先の位置を特定するために、表示画面に表示されているカーソルの位置を参照しながら、カーソルを例えば図４中の符号Ｈに示された経路上を移動させるように、電子ペン１２のペン先をデジタイザ１１上に移動させると、デジタイザ１１は、電子ペン１２のペン先のデジタイザ１１上における現在位置を示す位置座標Ｑ（Ｘ、Ｙ）が記述された位置データを情報処理装置１０の情報入力部に１０２に随時出力する（ステップＳ１０）。
【００５５】
情報入力部１０２は、デジタイザ１１から随時入力された位置データを情報解析部１０３に出力する。
【００５６】
情報解析部１０３は、情報入力部１０２から位置データが随時入力されると、この入力された情報が位置データであると判定し、この位置データを座標変換部１０４に出力する。
【００５７】
座標変換部１０４は、情報解析部１０３から随時入力された位置データに記述されている、電子ペン１２により指定されたデジタイザ１１上の位置を示す座標Ｑ（Ｘ、Ｙ）を、表示部１０６に表示させるカーソルの位置を示すカーソル座標Ｐ（Ｘ、Ｙ）に随時変換し（ステップＳ１０）、このカーソル座標Ｐ（Ｘ、Ｙ）を表示制御部１０５に出力するとともに、このカーソル座標Ｐ（Ｘ、Ｙ）を記憶部１０１の表示カーソル座標記憶領域１０１ｇに先に記憶されているカーソル座標Ｐ（Ｘ、Ｙ）を随時消去したのちに書き込む（ステップＳ１２）。
【００５８】
表示制御部１０５は、座標変換部１０４から随時入力されたカーソル座標Ｐ（Ｘ、Ｙ）に対応する箇所にカーソルを随時表示させる（ステップＳ１３）。
【００５９】
利用者が、上述したように、カーソルを図４中の符号Ｈに示された経路上を移動させ、この経路の最終位置を示す図４中の符号Ｅに示された箇所にカーソルを移動させたのち、電子ペン１２に設けられているボタン１２１を押下すると、デジタイザ１１は、表示画面中のカーソル位置を特定させるためのカーソル位置特定指示を情報処理装置１０の情報入力部１０２に出力する（ステップ１４）。
【００６０】
情報入力部１０２は、カーソル位置特定指示がデジタイザ１１から入力されると、このカーソル位置特定指示を情報解析部１０３に出力する。
【００６１】
情報解析部１０３は、情報入力部１０２からカーソル位置特定指示が入力されると、この入力された情報がカーソル位置特定指示であると判定し、記憶部１０１の表示カーソル座標記憶領域１０１ｇに記憶されている図４中の符号Ｅに示された位置を示すカーソル座標Ｐ（Ｘ、Ｙ）を決定カーソル座標記憶領域１０１ｆに書き込む（ステップＳ１５）。
【００６２】
次に、情報解析部１０３は、現在、表示画面に表示されている図４中の符号Ｅに示す位置に、リンク先を利用者に知らせるスポット表示からなる認識標識を表示させるカーソル位置表示指示を表示制御部１０５に出力する。
【００６３】
表示制御部１０５は、情報解析部１０３からカーソル位置表示指示が入力されると、現在カーソルの位置に図４の符号Ｅに示す位置にスポット表示からなる認識標識を表示させる（ステップＳ１６）。
【００６４】
その後、利用者が表示画面中の「リンク実行」ボタンを押下すると、表示部１０６は、その旨の通知をリンク元・先座標特定部１０７に出力する（ステップＳ１７）。
【００６５】
また、リンク元・先座標特定部１０７は、表示部１０６から「リンク実行」ボタンがクリックされた旨の通知が入力すると、記憶部１０１の決定カーソル座標記憶領域１０１ｆに記憶されている図４の符号Ｅにより示されたカーソル座標Ｐ（Ｘ、Ｙ）をリンク先座標Ｐ（Ｘ、Ｙ）として読み出し、このリンク先座標Ｐ（Ｘ、Ｙ）を記憶部１０１のリンク先座標記憶領域１０１ｄに書き込む（ステップＳ１８）。その後、リンク元・先座標特定部１０７は、決定カーソル座標記憶領域１０１ｆに記憶されているカーソル座標Ｐ（Ｘ、Ｙ）を消去するとともに、リンクを張ることの指示をリンク生成部１０８に出力する。
【００６６】
リンク生成部１０８は、リンク元・先座標特定部１０７から上記指示が入力されると、未だ読み出されていないリンク元座標Ｐ（Ｘ、Ｙ）がリンク元座標記憶領域１０１ｃに記憶されているか否かを判定する（ステップＳ１９）。リンク生成部１０８は、未だ読み出されていないリンク元座標Ｐ（Ｘ、Ｙ）がリンク元座標記憶領域１０１ｃに記憶されていると判定した場合には（ステップＳ１９；Ｙ）、未だ読み出されていないリンク元座標を読み出し、位置−アドレス対応テーブル１０１ｂを参照し、この位置−アドレス対応テーブル１０１ｂからリンク元座標Ｐ（Ｘ、Ｙ）と同じ座標を有するカーソル位置座標に対応するアドレスを読み出す。その後、リンク生成部１０８は、先に読み出したリンク元座標Ｐ（Ｘ、Ｙ）と読み出したアドレスを対にしたリンク元特定データを生成し、このリンク元特定データをワーク領域１０１ｈに記憶し（ステップＳ２０）、ステップＳ１４に処理を移行し、上述したと同様な処理を続行する。
【００６７】
一方、リンク生成部１０８は、未だ読み出されていないリンク元座標が記憶部１０１のリンク元座標記憶領域１０１ｃに記憶されていないと判定した場合には（ステップＳ１８；Ｎ）、記憶部１０１のリンク先座標記憶領域１０１ｄに記憶されている図４中の符号Ｅに示されたリンク先を指定するリンク先座標Ｐ（Ｘ、Ｙ）を読み出し、位置−アドレス対応テーブル１０１ｂを参照し、この位置−アドレス対応テーブル１０１ｂからリンク先座標Ｐ（Ｘ、Ｙ）と同じ座標を有するカーソル位置座標に対応するアドレスを読み出す。その後、リンク生成部１０８は、先に読み出したリンク先座標Ｐ（Ｘ、Ｙ）と読み出したアドレスとを対にしたリンク先特定データを生成し、このリンク先特定データをワーク領域１０１ｈに記憶する（ステップＳ２１）。
【００６８】
その後、リンク生成部１０８は、記憶部１０１のワーク領域１０１ｈからリンク元特定データとリンク先特定データとを読み出し、読み出したこれらのリンク元特定データとリンク先特定データとが記述された、リンク元の領域からリンク先の位置に表示画面を移動させるリンク制御データを生成し、生成したリンク制御データをリンク制御データ書込部１０９に出力する。
【００６９】
リンク制御データ書込部１０９は、リンク生成部１０８から入力されたリンク制御データを記憶部１０１の制御データ記憶部１０１ａに書き込み（ステップＳ２２）、処理を終了させる。これで、この実施例の情報処理装置１０は、リンク元とリンク先との間でリンクが張られたことになる。
【００７０】
実施例によれば、情報処理装置１０のリンク生成部１０８が生成するリンク制御データを生成するための位置データとして、電子ペン１２により指定された位置を示す位置データを情報処理装置１０に供給するので、利用者が情報処理装置１０の扱いに不慣れな場合であっても、扱いが簡単な電子ペンを用いることにより、図４に示すリンク元とリンク先との間にリンクを簡単に張ることができ、その際の煩わしさを解消することができる。
【００７１】
また、実施例によれば、情報処理装置１０の座標変換部１０４により特定されたリンク元の領域とリンク先とが、図４中の符号Ａ、Ｂ、Ｃ、Ｄ、及びＥに示すように、表示画面上にスポット表示されるので、リンク元の領域とリンク先との間にリンクを張るに際し、これらのスポット表示を参照しつつリンクを張ることができる。
【００７２】
実施例の情報処理装置では、リンク先を同一な表示画面上に指定されているが、必ずしも同一な表示画面上でなくてもよい。すなわち、表示部１０６に表示される電子ファイルの表示画面をページ単位とし、実施例において生成したリンク制御データにページ単位を持たせることにより、リンク先を同一でない表示画面上に指定することができることはいうまでもない。
【図面の簡単な説明】
【００７３】
【図１】本発明に係る実施例の情報処理システムの構成を示すブロック図である。
【図２】図１中の記憶部の構成を示すブロック図である。
【図３】図２中の位置−アドレス対応テーブルの一例を示す図である。
【図４】図１中の表示部に表示される表示画面の一例を示す図である。
【図５】本発明に係る実施例の情報処理システムの動作を示すフローチャート(その１)である。
【図６】本発明に係る実施例の情報処理システムの動作を示すフローチャート(その２)である。
【符号の説明】
【００７４】
１  情報処理装置
１０  情報処理装置本体
１０１  記憶部
１０１ａ  制御プログラム格納領域
１０１ｂ  位置−アドレス対応テーブル
１０１ｃ  リンク元座標記憶領域
１０１ｄ  リンク先座標記憶領域
１０１ｅ  制御データ記憶領域
１０１ｆ  決定カーソル座標記憶領域
１０１ｇ  表示カーソル記憶領域
１０１ｈ  ワーク領域
１０１ｊ  画像データ記憶領域
１０２  情報入力部
１０３  情報解析部
１０４  座標変換部
１０５  表示制御部
１０６  表示部
１０７  リンク元・先座標特定部
１０８  リンク生成部
１１  デジタイザ
１２  電子ペン
【図１】
2008176652.tif 000003
【図２】
2008176652.tif 000004
【図３】
2008176652.tif 000005
【図４】
2008176652.tif 000006
【図５】
2008176652.tif 000007
【図６】
2008176652.tif 000008